【事件の表示】
　特許第３１９４４００号「複合型画像形成装置」の請求項１に係る特許に対する特許異議の申立てについて、次のとおり決定する。
【結　論】
　訂正を認める。
　特許第３１９４４００号の請求項１に係る特許を維持する。
【理　由】
１．手続の経緯
　特許第３１９４４００号に係る発明についての出願は、平成４年１１月１３日の特許出願であって、平成１３年６月１日にその発明について特許の設定登録がなされ、その後、その特許請求の範囲における請求項１に係る発明について、異議申立人ミノルタ株式会社及び神田泰貴より特許異議の申立てがなされ、取消理由通知がなされ、その指定期間内である平成１４年６月１８日に訂正請求がなされたものである。
　　
２．特許をすべき旨の査定の謄本の送達前にした補正の適否について
　異議申立人神田泰貴は、平成１２年９月１２日付けの手続補正によってなされた補正に係る次の記載事項
　「少なくとも１つの実行条件に関して、前記少なくとも２つの機能に対し異なるデフォルト値を記憶する記憶手段」
は、願書に最初に添付した明細書又は図面に記載されていないから、本件特許は、願書に添付した明細書又は図面についてした特許をすべき旨の査定の謄本の送達前にした補正がこれらの要旨を変更するものと認められる特許出願に対してされたものであり、したがって、本件特許に係る出願は、特許法等の一部を改正する法律（平成５年法律第２６号）附則第２条第２項の規定により、なお従前の例によるとされる同法による改正前の特許法第４０条の規定により、その出願について補正書を提出した時にしたものとみなされ、その出願日は、平成１２年９月１２日となる旨主張しているので、先ずこの点について判断する。
（判断）　
　願書に最初に添付した明細書には、
（ア）「【従来の技術】
　従来の複合型画像形成装置は、１つのデフォルト値を各モードが共通に使用していた。本来、複写機やファクシミリなどのモードを最適に動作させるためには、それぞれのモードのデフォルト値を設定する必要がある。例えば、複写機では濃度、写真モード、カラーモード、アウトプット、排紙面なとがツールス（Tools）でデフォルト値が決められ、またファクシミリのデフォルト値として、現状では濃度のみが決められるように構成されている。」（段落【０００２】参照。）
（イ）「【発明が解決しようとする課題】
　しかし、複合型画像形成装置に於けるモード設定において、例えば複写機とファクシミリを交互に使用する場合、切り替える毎に各機能のデフォルト値を選択時に設定していたのではその操作に手間取り、効率的に装置を使用することができない。また各機能毎に異なった多数の項目を設定しなければならないため、その設定操作は面倒であり、さらに設定の間違も起こし易く、無駄な画像処理をしてしまうなどの問題があった。」（段落【０００４】参照。）
との記載がなされており、
　記載（ア）及び（イ）からみると、複合型画像形成装置において、複写機やファクシミなどのモードを最適に動作させるためには、それぞれのモードのデフォルト値を最適に設定する必要があり、また、各機能毎に異なった多数の項目を設定する必要もあることは、当業者には広く認識されていたことである。例えば、複写機モードとファクシミリモードについて言えば、この２つのモードは、濃度という共通の実行条件を有しており、この実行条件に関するデフォルト値を、複写機モードとファクシミリモードとでそれぞれ最適な値で設定しなければならないことは当業者には周知自明な技術常識であると認められる。
　また、願書に最初に添付した明細書には、
（ウ）「【課題を解決するための手段】
　上記の目的を達成するため、本発明のモード設定装置は複写、ファクシミリ、プリンタなどの機能の少なくとも２つの機能を備えた複合型画像形成装置において、前記複数の機能のデフォルト値を記憶した記憶手段と、前記機のいずれかを選択する機能選択入力手段と、選択された機能のデフォルト値を設定するコントローラと、を具備する構成にある。」（段落【０００５】参照。）
（エ）「複数のデフォルト値が格納された記憶装置４」（段落【０００８】参照。）
との記載がなされており、
　記載（ウ）及び（エ）からみるに、本願発明のモード設定装置は、「複写、ファクシミリ、プリンタなどの機能の少なくとも２つの機能を備えた複合型画像形成装置において、前記複数の機能のデフォルト値を複数記憶した記憶手段」を有することは、明かであるから、少なくとも１つの実行条件（例えば、濃度）に関して、前記少なくとも２つの機能（例えば、複写機やファクシミリなどのモード）に対し異なるデフォルト値を記憶する記憶手段が明瞭に開示されていると認められる。
　したがって、この補正は願書に最初に添附した明細書又は図面の範囲内の補正であり、要旨を変更するものではない。
　したがって、本件特許の出願日は、前記補正書を提出した時に繰り下がるべきものとはいうことができない。
　
３．訂正の適否について
（１）訂正の内容
　平成１４年６月１８日付けの訂正請求書による訂正事項は、
　
（ａ）特許請求の範囲の請求項１
　「【請求項１】複写機能、ファクシミリ機能、プリンタ機能のうち、少なくとも２つの機能を備えた複合画像形成装置において、
　少なくとも１つの実行条件に関して、前記少なくとも２つの機能に対し異なるデフォルト値を記憶する記憶手段と、
　前記少なくとも２つの機能のうち、いずれかの機能を選択する機能選択入力手段と、
　該機能選択入力手段により選択された機能におけるデフォルト値を設定するコントローラと、を具備する複合型画像形成装置。」
を、
　「【請求項１】複写機能、ファクシミリ機能、プリンタ機能のうち、少なくとも２つの機能を備えた複合画像形成装置において、
　少なくとも１つの実行条件に関して、前記少なくとも２つの機能に対し異なるデフオルト値を記憶する記憶手段と、
　前記少なくとも２つの機能のうち、いずれかの機能を選択する機能選択入力手段と、
　該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなる複合型画像形成装置。」
と訂正し、
　　
（ｂ）本件明細書の段落【０００５】の記載事項
　「【課題を解決するための手段】上記の目的を達成するため、本発明は、複写機能、ファクシミリ機能、プリンタ機能のうち、少なくとも２つの機能を備えた複合画像形成装置において、少なくとも１つの実行条件に関して、前記少なくとも２つの機能に対し異なるデフオルト値を記憶する記憶手段と、前記少なくとも２つの機能のうち、いずれかの機能を選択する機能選択入力手段と、該機能選択入力手段により選択された機能におけるデフォルト値を設定するコントローラと、を具備したことを特徴とする。」
を、
　「【課題を解決するための手段】上記の目的を達成するため、本発明は、複写機能、ファクシミリ機能、プリンタ機能のうち、少なくとも２つの機能を備えた複合画像形成装置において、少なくとも１つの実行条件に関して、前記少なくとも２つの機能に対し異なるデフォルト値を記憶する記憶手段と、前記少なくとも２つの機能のうち、いずれかの機能を選択する機能選択入力手段と、該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなることを特徴とする。」
と訂正するものである。
　
（２）訂正の目的の適否、新規事項の有無及び拡張・変更の存否
　本件明細書の段落【０００７】には、
　「実行条件を入力制御し、Ｍ/Ｃコントローラに記録条件情報を通知すると共に、記録条件入力情報およびＭ/Ｃコントローラ１から送られてくる記録動作の結果や装置の異常発生など装置本体の管理情報を表示制御するためのユーザインターフェイスコントローラ２(以下「ＵＩコントローラ」と記す)を備えている。」
との記載がなされているから、
　「前記実行条件を入力制御し」
と訂正することは、願書に添付した明細書に記載された事項の範囲内において訂正するものであり、
　また、本件明細書の段落【００１０】には、
　「設定されたデフォルトモードはオールクリア(ＡＣ)キーの選択またはオートタイマによって再度デフォルトモードを選択設定するためにステップＳ１にリターンする。」
との記載がされているから、
　「オールクリアキーの選択またはオートタイマによって再度デフォルトモードに選択設定するようにしてなる」
と訂正することは願書に添付した明細書に記載された事項の範囲内において訂正するものである。
　したがって、上記訂正事項（ａ）は、願書に添付した明細書に記載された事項の範囲内において訂正するものであり、特許請求の範囲の減縮に該当し、新規事項の追加に該当しない。
　上記訂正事項（ｂ）は、願書に添付した明細書に記載された事項の範囲内において訂正するものであり、明りょうでない記載の釈明に該当し新規事項の追加に該当しない。
　そして、上記訂正は、実質上特許請求の範囲を拡張し、変更するものでもない。
　　　
（３）以上のとおりであるから、上記訂正は、特許法第１２０条の４第２項及び同条第３項において準用する特許法第１２６条第２項から第４項までの規定に適合するので、当該訂正を認める。
　
４．特許異議の申立てについて
（異議申立人ミノルタ株式会社の申立の理由の概要）
　異議申立人ミノルタ株式会社は、証拠として
甲第１号証（特願平４−２７７２８６号（特開平６−１３３１２０号公報））
を提出し、
　本件請求項１に係る発明は、その出願日前の特許出願であって、その出願後に出願公開された特願平４−２７７２８６号（甲第１号証）の願書に添付された明細書又は図面に記載された発明と同一であり、しかもその発明者が特願平４−２７７２８６号（甲第１号証）の発明をした者と同一ではなく、その出願人が特願平４−２７７２８６号（甲第１号証）の出願人と同一でもないので、特許法第２９条の２の規定により特許を受けることができない発明であるから、本件請求項１に係る発明の特許を取消すべき旨主張している。
　
（異議申立人神田泰貴の申立の理由の概要）
　異議申立人神田泰貴は、証拠として、
甲第１号証（特開平１０−　２３２６３号公報）
甲第２号証（特開平０６−　　６４９６号公報）
甲第３号証（特願平０４−２７７２８６号）
　　　　　（特開平０６−１３３１２０号公報）
甲第４号証（特開平０１−１４５６７０号公報）
甲第５号証（特開平０４−　４４４６４号公報）
を提出し、
（ａ）この点については、既に前記２．で判断を示したことではあるが、
　平成１２年９月１２日付けの手続補正によってなされた補正に係る次の記載事項
　「少なくとも１つの実行条件に関して、前記少なくとも２つの機能に対し異なるデフォルト値を記憶する記憶手段」
は、願書に最初に添付した明細書又は図面に記載されていないから、本件特許は、願書に添付した明細書又は図面についてした特許をすべき旨の査定の謄本の送達前にした補正がこれらの要旨を変更するものと認められる特許出願に対してされたものであり、
　したがって、本件特許に係る出願は、特許法等の一部を改正する法律（平成５年法律第２６号）附則第２条第２項の規定により、なお従前の例によるとされる同法による改正前の特許法第４０条の規定により、その出願について補正書を提出した時にしたものとみなされ、その出願日は、平成１２年９月１２日となる旨主張し、
（ｂ）そして、本件特許発明の出願日が平成１２年９月１２に繰り下がるのであるから、本件の請求項１に係る発明は、甲第１号証（特開平１０−２３２６３号公報）及び甲第２号証（特開平０６−６４９６号公報）に記載された発明に基づいて、当業者が容易に発明をすることができたものであるから、特許法第２９条第２項に規定により特許を受けることができない発明であり、本件請求項１に係る発明の特許を取り消すべき旨主張し、
（ｃ）また、本件特許発明の出願日が平成１２年９月１２に繰り下がるのであるから、本件の請求項１に係る発明は、本件出願前に日本国内において、頒布された甲第３号証（特開平０６−１３３１２０号公報）に記載された発明であるから、特許法第２９条第１項第３号の規定により特許を受けることができない発明であり、本件請求項１に係る発明の特許を取り消すべき旨主張し、
（ｄ）また、本件特許発明の出願日が平成１２年９月１２に繰り下がるのであるから、本件の請求項１に係る発明は、甲第３号証（特開平６−１３３１２０号公報）に記載された発明に基づいて当業者が容易に発明をすることができたものであるから、特許法第２９条第２項の規定により特許を受けることができない発明であり、本件請求項１に係る発明の特許を取り消すべき旨主張し、
（ｅ）さらに、同申立人神田泰貴は、たとえ、出願日が繰り下がらなくとも、本件請求項１に係る発明は、その出願日前の特許出願であって、その出願後に出願公開された特願平４−２７７２８６号（甲第３号証）の願書に添付された明細書又は図面に記載された発明と同一であり、しかもその発明者が特願平４−２７７２８６号（甲第３号証）の発明をした者と同一ではなく、その出願人が特願平４−２７７２８６号（甲第３号証）の出願人と同一でもないので、特許法第２９条の２の規定により特許を受けることができない発明であるから、本件請求項１に係る発明の特許を取消すべき旨主張し、
（ｆ）さらにまた、たとえ、出願日が繰り下がらなくとも、本件請求項１に係る発明は、甲第４号証（特開平０１−１４５６７０号公報）及び甲第５号証（特開平０４−４４４６４号公報）に記載された発明に基づいて、当業者が容易に発明をすることができたものであるから、特許法第２９条第２項の規定により特許を受けうることができない発明であり、本件請求項１に係る発明の特許は取り消すべく旨主張している。
　　
５．本件発明
　平成１４年５月２０日付けで提出された訂正明細書の請求項１に係る発明は、その特許請求の範囲の請求項１に記載された次のとおりのものである。
　
　「【請求項１】複写機能、ファクシミリ機能、プリンタ機能のうち、少なくとも２つの機能を備えた複合画像形成装置において、
　少なくとも１つの実行条件に関して、前記少なくとも２つの機能に対し異なるデフオルト値を記憶する記憶手段と、
　前記少なくとも２つの機能のうち、いずれかの機能を選択する機能選択入力手段と、
　該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなる複合型画像形成装置。」
　
６．引用刊行物記載の発明
（１）当審が通知した取消理由に引用した刊行物１（特開平１−１４５６７０号公報）（異議申立人神田泰貴が提出した甲第４号証）には、
　少なくともプリント機能と複写機能との複数の機能で動作できる複合化装置において、各機能にそれぞれ対応する制御プログラムを内蔵し不揮発性の書込可能な記憶手段を有する複数個のＩＣカードと、各機能に於ける操作情報をＩＣカードに登録する書込機構、セットされたＩＣカードの情報に応じて機能切り換え及び機能切換に伴う制御を行う制御装置とを備えた複合化装置が記載されている。
　　　　
（２）当審が通知した取消理由に引用した刊行物２（特開平４−４４４６４号公報）（異議申立人神田泰貴が提出した甲第５号証）には、
　受信信号に基づく作像か読取信号に基づく作像かによって作像部における作像特性を変更するファクシミリ装置が記載されている。
　　　
（３）当審が通知した取消理由に引用した特願平４−２７７２８６号（特開平６−１３３１２０号公報）（異議申立人ミノルタ株式会社が提出した甲第１号証、異議申立人神田泰貴が提出した甲第３号証）の願書に最初に添付した明細書又は図面には、
　ある機能への切り換え時にその機能のデフォルト値のパラメータを対応するパラメータ格納領域より読みだして設定することにより、ユーザによるパラメータの切り換え作業を軽減する複合機が記載されている。
　　
７．対比・判断
（特許をすべき旨の査定の謄本の送達前にした補正の適否について）
　この点ついては、上記２．において判断したように、平成１２年９月１２日付けの手続補正によってなされた補正は、願書に最初に添附した明細書又は図面の範囲内の補正であり、要旨を変更するものではないから、本件特許出願の出願日は、依然として平成４年１１月１３日である。
　そうすると、異議申立人神田泰貴が提出した
甲第１号証（特開平１０−　２３２６３号公報）
甲第２号証（特開平０６−　　６４９６号公報）
甲第３号証（特開平０６−１３３１２０号公報）
の公開日は、本件特許出願の出願日より後であるから、したがって、
（i）本件請求項１に係る発明は、甲第１号証（特開平１０−２３２６３号公報）に記載された発明及び甲第２号証（特開平６−６４９６号公報）に記載された発明に基いて当業者が容易に発明できたものであるから、本件請求項１に係る発明は、特許法第２９条第２項の規定により特許を受けることができない発明であるから、本件請求項１に係る発明の特許を取り消すべきであるとの異議申立人神田泰貴の主張は理由のないものであり、
（ii）また、本件請求項１に係る発明は、甲第３号証（特開平６−１３３１２０号公報）に記載された発明であるから、特許法第２９条第１項第３号の規定により特許を受けることができない発明であるから、本件請求項１に係る発明の特許を取り消すべきであるとの異議申立人神田泰貴の主張は理由のないものであり、
（iii）そして、本件請求項１に係る発明は、甲第３号証（特開平６−１３３１２０号公報）に記載された発明に基づいて当業者が容易に発明をすることができたものであるから、特許法第２９条第２項の規定により特許を受けることができない発明であるから、本件請求項１に係る発明の特許を取り消すべきであるとの異議申立人神田泰貴の主張は理由のないものである。
　
（特許法第２９条第２項の規定に対する違反について）
　請求項１に係る発明と神田泰貴が提出した甲第４号証（特開平１−１４５６７０号公報）（以下、「刊行物１」という。）及び甲第５号証（特開平４−４４４６４号公報）（以下、「刊行物２」という。）に記載された発明とを対比すると、
　刊行物１及び２に記載された発明はいずれも、請求項１に記載された発明の要件である
　「複写機能、ファクシミリ機能、プリンタ機能のうち、少なくとも２つの機能を備えた複合画像形成装置において、
　少なくとも１つの実行条件に関して、前記少なくとも２つの機能に対し異なるデフオルト値を記憶する記憶手段と、
　前記少なくとも２つの機能のうち、いずれかの機能を選択する機能選択入力手段と、
　該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなる」
ことについて開示しない。
　そして、請求項１に係る発明は、上記要件を有することにより、明細書記載の顕著な効果を奏するものであるから、請求項１に係る発明は、刊行物１及び２に記載された発明であるとも、刊行物１及び２に記載された発明に基いて当業者が容易に発明をすることができた発明であるともいえない。
　
（特許法第２９条の２の規定に対する違反について）
　本件請求項１に係る発明と、異議申立人ミノルタ株式会社が甲第１号証として提出し、また異議申立人神田泰貴が甲第３号証として提出した特願平４−２７７２８６号（特開平６−１３３１２０号公報）の願書に最初に添付した明細書又は図面に記載された発明（以下、「先願発明」という。）とを対比すると、
　先願発明は、請求項１に記載された発明の要件である
　「該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなる」
ことについて開示しない。
　したがって、その余の点について対比・検討するまでもなく、請求項１に係る発明は、先願発明と同一であるとはいえない。
　
８．むすび
　以上のとおり、特許異議申立の理由及び証拠によっては、本件請求項１に係る発明の特許を取り消すことができない。
　また、他に本件請求項１に係る発明の特許を取り消すべき理由を発見しない。
　
　よって、結論のとおり決定する。
　
【異議決定日】
平成１４年７月１日（２００２．７．１）
【訂正の要旨】
訂正の要旨
（ａ）特許請求の範囲の請求項１
　「【請求項１】複写機能、ファクシミリ機能、プリンタ機能のうち、少なくとも２つの機能を備えた複合画像形成装置において、
　少なくとも１つの実行条件に関して、前記少なくとも２つの機能に対し異なるデフォルト値を記憶する記憶手段と、
　前記少なくとも２つの機能のうち、いずれかの機能を選択する機能選択入力手段と、
　該機能選択入力手段により選択された機能におけるデフォルト値を設定するコントローラと、を具備する複合型画像形成装置。」
を、
　「【請求項１】複写機能、ファクシミリ機能、プリンタ機能のうち、少なくとも２つの機能を備えた複合画像形成装置において、
　少なくとも１つの実行条件に関して、前記少なくとも２つの機能に対し異なるデフオルト値を記憶する記憶手段と、
　前記少なくとも２つの機能のうち、いずれかの機能を選択する機能選択入力手段と、
　該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなる複合型画像形成装置。」
と訂正する。
（ｂ）本件明細書の段落【０００５】の記載事項
　「【課題を解決するための手段】上記の目的を達成するため、本発明は、複写機能、ファクシミリ機能、プリンタ機能のうち、少なくとも２つの機能を備えた複合画像形成装置において、少なくとも１つの実行条件に関して、前記少なくとも２つの機能に対し異なるデフオルト値を記憶する記憶手段と、前記少なくとも２つの機能のうち、いずれかの機能を選択する機能選択入力手段と、該機能選択入力手段により選択された機能におけるデフォルト値を設定するコントローラと、を具備したことを特徴とする。」
を、
　「【課題を解決するための手段】上記の目的を達成するため、本発明は、複写機能、ファクシミリ機能、プリンタ機能のうち、少なくとも２つの機能を備えた複合画像形成装置において、少なくとも１つの実行条件に関して、前記少なくとも２つの機能に対し異なるデフォルト値を記憶する記憶手段と、前記少なくとも２つの機能のうち、いずれかの機能を選択する機能選択入力手段と、該機能選択入力手段により選択された機能におけるデフォルト値を設定するコントローラとを具備し、該コントローラは、前記実行条件を入力制御し、かつオールクリアキーの選択またはオートタイマによって再度デフォルトモードを選択設定するようにしてなることを特徴とする。」
と訂正するものである。
（５４）【発明の名称】
複合型画像形成装置
（５７）【特許請求の範囲】
　【請求項１】　複写機能、ファクシミリ機能、プリンタ機能のうち、少なくとも２つの機能を備えた複合画像形成装置において、少なくとも１つの実行条件に関して、前記少なくとも２つの機能に対し異なるデフォルト値を記憶する記憶手段と、前記少なくとも２つの機能のうち、いずれかの機能を選択する機能選択入力手段と、該機能選択入力手段により選択された機能におけるデフォルト値を設定するコントローラとを
具備し、該コントローラは、前記実行条件を入力制御し、かつオールクリアキーの選択またはオートタイマによって再度デフォルトモードを選択設定するようにしてなる
【発明の詳細な説明】
　【０００１】
　【産業上の利用分野】本発明は、複写、ファクシミリ、プリンタ等の機能の内、少なくとも２つ以上の機能を備えた複合型画像形成装置に関し、特に、それぞれの機能のデフォルト値を選択的に自動的に設定可能にした複合型画像形成装置に関する。
　【０００２】
　【従来の技術】従来の複合型画像形成装置は、１つのデフォルト値を各モードが共通に使用していた。本来、複写機やファクシミリなどのモードを最適に動作させるためには、それぞれのモードのデフォルト値を設定する必要がある。例えば、複写機では濃度、写真モード、カラーモード、アウトプット、排紙面などがツールス（Ｔｏｏｌｓ）でデフォルト値が決められ、またファクシミリのデフォルト値として、現状では濃度のみが決められるように構成されている。
　【０００３】また、高機能機種ではマシンＭ／Ｃ固有のデフォルト値の他に、ユーザ自身に適したデフォルト値を設定したり、登録することができる。特に、登録されたデフォルト値は設定したユーザが次回の使用時に再設定し、選択された機能を実行していた。１つの機能をもつ画像形成装置において、複数のデフォルト値が設定できるように構成されたモード設定装置は、例えば特開平２−１２１８６０号に開示されている。
　【０００４】
　【発明が解決しようとする課題】しかし、複合型画像形成装置に於けるモード設定において、例えば複写機とファクシミリを交互に使用する場合、切り替える毎に各機能のデフォルト値を選択時に設定していたのではその操作に手間取り、効率的に装置を使用することができない。また各機能びとに異なった多数の項目を設定しなければならないため、その設定操作は面倒であり、さらに設定の間違も起こし易く、無駄な画像処理をしてしまうなどの問題があった。本発明の目的は、モード選択時にそのモードに最適なデフォルト値が自動的に設定されるようにした複合型画像形成装置を提供することにある。
　【０００５】
　【課題を解決するための手段】上記の目的を達成するため、本発明は、複写機能、ファクシミリ機能、プリンタ機能のうち、少なくとも２つの機能を備えた複合画像形成装置において、少なくとも１つの実行条件に関して、前記少なくとも２つの機能に対し異なるデフォルト値を記憶する記憶手段と、前記少なくとも２つの機能のうち、いずれかの機能を選択する機能選択入力手段と、該機能選択入力手段により選択された機能におけるデフォルト値を設定するコントローラと
を具備し、該コントローラは、前記実行条件を入力制御し、かつオールクリアキーの選択またはオートタイマによって再度デフォルトモードを選択設定するようにしてなる
　【０００６】
　【作用】少なくとも１つの実行条件に関して、少なくとも２つの機能に対し異なるデフォルト値を記憶し、いずれかの機能が選択された場合、該機能における実行条件のデフォルト値を設定するので、複数の機能につき異なるデフォルト値を設定でき、機能を切り替える毎に実行条件を設定し直すことによる操作の面倒や設定の間違いを回避することができる。
　【０００７】
　【実施例】以下、本発明の実施例を図面に基づいて説明する。図１は本発明の複合型画像形成装置のモード設定装置のブロックを示す。本実施例では複写、ファクシミリおよびプリンタの３つの機能を備えた複合型画像形成装置である。複合型画像形成装置は、複数の機能に対応してＭ／Ｃコントロールソフトを実行し、設定された機能の実行条件にて装置を動作させるためのＣＰＵシステムからなるＭ／Ｃコントローラ１、実行条件を入力制御し、Ｍ／Ｃコントローラに記録条件情報を通知すると共に、記録条件入力情報およびＭ／Ｃコントローラ１から送られてくる記録動作の結果や装置の異常発生など装置本体の管理情報を表示制御するためのユーザインタフェースコントローラ２（以下「ＵＩコントローラ」と記す）を備えている。
　【０００８】さらに、画像形成装置には記録条件を入力するためのキーボード、タッチパネルなどの操作装置に組み込まれた機能選択入力部３、複数のデフォルト値が格納された記憶装置４、各種の情報を表示するＣＲＴやＬＣＤ表示部（図示せず）および選択されたモードによる画像形成処理を行う装置部５が配備されている。機能選択入力部３は、ハードキーまたはソフトキーにより構成され、複写機能を選択する複写キー３−１、ファクシミリ機能を選択するファクシミリキー３−２およびプリンタ機能を選択するプリンタキー３−３からなるモード選択キーが配備されている。モード選択キーが押されると、その信号がＵＩコントローラ２に送られ、選択された機能に応じたデフォルト値によるモード設定処理が実行される。
　【０００９】記憶装置４は、機能選択入力部３に配備されたモード選択キーに対応した機能のデフォルト値が格納されている。ＵＩコントローラ２は機能選択入力部３から選択された機能に基づいて記憶装置４からデフォルト値をＭ／Ｃコントローラ１のメモリに設定する。装置部５は、機能選択入力部に配備されたモード選択キーに対応した機能により画像形成処理を行うための装置として、複写装置５−１、ファクシミリ装置５−２およびプリンタ装置５−３によって構成されている。
　【００１０】次にモード設定処理について説明する。図２はモード設定処理のフローチャートを示す。機能選択入力部にてモード選択キーを押すと、その選択されたモードが複写（Ｓ１）、ファクシミリ（ＦＡＸ）（Ｓ２）、プリンタ（Ｓ３）のいずれの機能であるかを判断し、複写のときは複写のデフォルトモード設定（Ｓ４）、ファクシミリのときはファクシミリモード設定（Ｓ５）、プリンタのときはプリンタモード設定（Ｓ６）を実行する。上記以外では、その他のデフォルトモード設定（Ｓ７）を実行する。設定されたデフォルトモードはオールクリア（ＡＣ）キーの選択またはオートタイマによって再度デフォルトモードを選択設定するためにステップＳ１にリターンする。本実施例では３つの機能を備えた複合型画像形成装置について説明したが、この機能に限定されるものでなく、少なくとも２以上の異なる機能の組み合わせであれば適用できる。
　【００１１】
　【発明の効果】本発明によれば、少なくとも１つの実行条件に関して、少なくとも２つの機能に対し異なるデフォルト値を記憶し、いずれかの機能が選択された場合、該機能における実行条件のデフォルト値を設定するので、複数の機能につき異なるデフォルト値を設定でき、機能を切り替える毎に実行条件を設定し直すことによる操作の面倒や設定の間違いを回避することができる。
【図面の簡単な説明】
　【図１】　本発明の複合型画像形成装置に於けるモード設定装置のブロック図である。
　【図２】　モード設定処理のフローチャートである。
　【符号の説明】
　１　Ｍ／Ｃコントローラ、２　ＵＩコントローラ、３　機能選択入力部、３−１　複写キー、３−２　ファクシミリキー、３−３　プリンタキー、４　記憶装置、５　装置部、５−１　複写装置、５−２　ファクシミリ装置、５−３　プリンタ装置